(57)【要約】【課題】セグメントを８字状に配置した数字表示部を６個並べることにより、バーグラフ状表示部を、よりバーに近い形態で表示することが出来、燃料残量が直感的に把握し易い燃料表示装置を提供する。【解決手段】始端アルファベット（Ｅ表示）１１ａと、燃料残量フル状態を示す終端アルファベット表示（Ｆ表示）１６ａとの間を、バーグラフ状表示部１２ａ〜１５ａにて表示し、このバーグラフ状表示部１２ａ〜１５ａを８字状セグメントの一部を表示することによって構成し、Ｃ字状セグメント表示１２ａと、コ字状セグメント表示１５ａと二字状セグメント表示１３ａ及び１４ａで表示した。これにより、一層バーグラフに近い形態の表示が構成でき、燃料の残量がわかり易く、かつ距離計としても使用できる。【選択図】図３
2011095048.tif 000002
【特許請求の範囲】
【請求項１】
車両用燃料の残量が無い事を表示する始端アルファベット表示と、車両用燃料の残量がフル状態である事を表示する終端アルファベット表示との間に燃料残量をバーグラフ状表示部にて表示する車両用燃料表示装置であって、
前記バーグラフ状表示部を多数のセグメントにて表示し、該セグメントが８字状セグメントの一部を表示することによって構成し、
前記バーグラフ状表示部の前記始端アルファベット表示に隣接する前記バーグラフ状表示部を右側の前記セグメントが欠落したＣ字状セグメント表示で構成し、
前記バーグラフ状表示部の前記終端アルファベット表示側の前記バーグラフ状表示部を左側の前記セグメントが欠落したコ字状セグメント表示で構成し、
前記Ｃ字状セグメント表示と前記コ字状セグメント表示の間を左右の前記セグメントが欠落した二字状セグメント表示で満たして表示したことを特徴とする燃料表示装置。
【請求項２】
前記始端アルファベット表示は、Ｅの字からなり、
前記終端アルファベット表示は、Ｆの字からなり、
前記８字状のセグメントは上辺、下辺、左上側辺、左下側辺、右上側辺、及び右下側辺からなるセグメント並びに中央−状セグメントからなり、
前記Ｃ字状のセグメントは、前記上辺、前記下辺、前記左上側辺、及び前記左下側辺からなり、
前記コ字状セグメント表示は、前記上辺、前記下辺、前記右上側辺、及び前記右下側辺からなり、
前記二字状セグメント表示は、前記上辺及び前記下辺からなることを特徴とする請求項１に記載の燃料表示装置。
【請求項３】
前記始端アルファベット表示、前記終端アルファベット表示、前記バーグラフ状表示部は、前記８字状セグメントからなり、前記８字状セグメントは、表示切替えに伴い数字を表示して、デジタル式の距離計を成すことを特徴とする請求項１または２に記載の燃料表示装置。
【請求項４】
前記バーグラフ状表示の前記終端アルファベット表示側の端部に前記車両用燃料の残量が前記８字状セグメントの一つ分に満たない量の減少を表示するために、少なくとも前記右上側辺、または前記右下側辺からなる前記コ字状セグメント表示の高さの半分の表示からなる半分表示部を有することを特徴とする請求項１ないし３のいずれか一項に記載の燃料表示装置。
【請求項５】
前記半分表示部は、前記上辺と前記右上側辺と前記中央−状セグメント、または前記下辺と前記右下側辺と前記中央−状セグメントからなる小型セグメント表示からなることを特徴とする請求項４に記載の燃料表示装置。
【請求項６】
前記コ字状セグメント表示は、前記上辺、前記下辺、前記右上側辺、及び前記右下側辺のうち前記半分表示部に隣接した前記右上側辺、または前記右下側辺が欠けた欠損表示部を有することを特徴とする請求項４または５に記載の燃料表示装置。
【発明の詳細な説明】
【技術分野】
【０００１】
本発明は、燃料残量が無いことを表示する始端アルファベット表示（Ｅ表示）と、燃料残量がフル状態であることを示す終端アルファベット表示（Ｆ表示）との間に、燃料残量をバーグラフ状に数字表示部からなるバーグラフ状表示部にて表示する燃料表示装置に関するものである。特に、燃料残量を液晶表示装置において表示し、オドメータやトリップメータとしても表示ができる車両用燃料表示装置に関するものである。
【背景技術】
【０００２】
従来、実用化されている車両用燃料表示装置として、図７のものが公知である。図７は、上記実用化されている車両用燃料表示装置の液晶セグメントの配置及び形状を示すセグメント配置図である。
【０００３】
この図７の装置は、燃料のＦＵＬＬ状態を示すＦ表示１６ａとＥＮＰＴＹ状態を示すＥ表示１１ａとの間を多数の棒状の専用表示セグメントからなるバー７０で表示するとともに、距離計を表示するために数字表示部１１〜１６を多数設け、オドメータ、トリップメータＡ、トリップメータＢとしても表示できるようにしている。
【０００４】
また、燃料計であることを示す燃料計ロゴ（フーエルゲージマークともいう）２と、オートトランスミッション（ＡＴ）のレンジ、例えばＰのパーキング、Ｒのリバース等を表示することが出来るミッションレンジ表示部５も同じ液晶表示画面（ＬＣＤ）３０の中に収納されている。この液晶表示画面３０の横寸法は４３ｍｍ、縦寸法は２０ｍｍである。
【０００５】
しかし、この実用化されている車両用燃料表示装置は、専用表示セグメントからなるバー７０を設定するため、その分、面積が必要となり、液晶表示画面３０自体の大きさが大きくなり、かつ図示しない導通用端子数が増加して部品単価が上昇するという問題がある。
【０００６】
このような問題を改善するものとして、特許文献１が公知である。図８は、特許文献１に係る車両用燃料表示装置の表示形態の変化を示す全体使用態様図である。
【０００７】
この特許文献１に記載の車両用燃料表示装置は、距離計表示のために数字を表示できる少なくとも７つのセグメントを８字状に配置した数字表示部１１〜１６を６個備えている。これによって、例えば、図８の（ａ）に示すように、オドメータとして距離を表示することが出来、また、図８の（ｂ）のように、トリップメータとして距離を表示することも出来る。
【０００８】
そして、燃料を表示するときは、図８の（Ｃ）の様に、燃料計ロゴ（フューエルゲージマーク）２を表示すると共に、左端にＥＮＰＴＹのＥ表示１１ａ、右端にＦＵＬＬのＦ表示１６ａを表示し、その間を上記数字表示部の上半分表示を並べたバーグラフ状表示部１２ａ、１３ａ、１４ａ、１５ａとするものである。
【０００９】
例えば、燃料がＦＵＬＬの状態であれば、図８の（ｃ）のように、上半分表示からなるバーグラフ状表示部１２ａ〜１５ａが４つ並び、少し燃料が減少すると、図８の（ｄ）のように右端が下半分表示１６ｄに切り替わる。更に燃料残量が少なくなると、図８の（ｅ）から（ｋ）のように、車両用燃料表示装置としての表示が推移するものである。
【先行技術文献】
【特許文献】
【００１０】
【特許文献１】特開２００３−９７９７７号公報
【発明の概要】
【発明が解決しようとする課題】
【００１１】
この特許文献１の車両用燃料表示装置は、数字を表示できる１２ａ、１３ａ、１４ａ、１５ａからなる数字表示部を使用してバーグラフ状表示部を形成しているが、バーの表示がロ字状の矩形の個数で表示されているため、全体としては個数を数える結果となり、ガソリン残量（容量）を瞬間的に把握しづらいという問題がある。
【００１２】
また、燃料が減少していくと（ｉ）から（ｊ）のように、上半分表示１２ｉから下半分表示１２ｊに変わるのみであり、ロ字状の矩形の表示個数は同じ一個であるため、変化がわかり難いという問題がある。
【００１３】
本発明は、このような従来の技術に存在する問題点に着目して成されたものであり、その目的は、７つのセグメントを８字状に配置した数字表示部を多数、例えば６個並べることにより、バーグラフ状表示を、よりバーに近い形態で見ることが出来、燃料残量が直感的に把握し易い燃料表示装置を提供することにある。
【００１４】
従来技術として列挙された特許文献の記載内容は、この明細書に記載された技術的要素の説明として、参照によって導入ないし援用することができる。
【課題を解決するための手段】
【００１５】
本発明は上記目的を達成するために、下記の技術的手段を採用する。すなわち、請求項１に記載の発明では、車両用燃料の残量が無い事を表示する始端アルファベット表示と、車両用燃料の残量がフル状態である事を表示する終端アルファベット表示との間に燃料残量をバーグラフ状表示部にて表示する車両用燃料表示装置であって、バーグラフ状表示部を多数のセグメントにて表示し、該セグメントが８字状セグメントの一部を表示することによって構成し、バーグラフ状表示部の始端アルファベット表示に隣接するバーグラフ状表示部を右側のセグメントが欠落したＣ字状セグメント表示で構成し、バーグラフ状表示部の終端アルファベット表示側のバーグラフ状表示部を左側のセグメントが欠落したコ字状セグメント表示で構成し、Ｃ字状セグメント表示とコ字状セグメント表示の間を左右のセグメントが欠落した二字状セグメント表示で満たして表示したことを特徴としている。
【００１６】
この発明によれば、Ｃ字状のセグメント表示とコ字状セグメント表示と二字状セグメント表示とで、内部が空洞状の一層バーグラフ表示に近い形態の表示が構成できるため、燃料の残量がわかり易い燃料表示装置を得ることが出来る。
【００１７】
請求項２に記載の発明では、始端アルファベット表示は、Ｅの字からなり、終端アルファベット表示は、Ｆの字からなり、８字状のセグメントは上辺、下辺、左上側辺、左下側辺、右上側辺、及び右下側辺からなるセグメント並びに中央−状セグメントからなり、Ｃ字状のセグメントは、上辺、下辺、左上側辺、及び左下側辺からなり、コ字状セグメント表示は、上辺、下辺、右上側辺、及び右下側辺からなり、二字状セグメント表示は、上辺及び下辺からなることを特徴としている。
【００１８】
この発明によれば、数字表示が可能な８字状セグメントの一部を活用して、一層バーグラフ表示に近い形態の表示が構成できるため、燃料の残量がわかり易い燃料表示装置を得ることが出来る。
【００１９】
請求項３に記載の発明では、始端アルファベット表示、終端アルファベット表示、バーグラフ状表示部は、８字状セグメントからなり、８字状セグメントは、表示切替えに伴い数字を表示して、デジタル式の距離計を成すことを特徴としている。
【００２０】
この発明によれば、表示の切り替えでデジタル式の距離計としても使用する事の出来る燃料表示装置とすることができる。
【００２１】
請求項４に記載の発明では、バーグラフ状表示の終端アルファベット表示側の端部に車両用燃料の残量が８字状セグメントの一つ分に満たない量の減少を表示するために、少なくとも右上側辺、または右下側辺からなるコ字状セグメント表示の高さの半分の表示からなる半分表示部を有することを特徴としている。
【００２２】
この発明によれば、燃料が８字状セグメント１個分に満たない量だけ減少したことをコ字状セグメント表示、つまり、バーグラフ状表示高さの半分の半分表示部によって表示する事が出来る。
【００２３】
請求項５に記載の発明では、半分表示部は、上辺と右上側辺と中央−状セグメント、または下辺と右下側辺と中央−状セグメントからなる小型セグメント表示からなることを特徴としている。
【００２４】
この発明によれば、燃料が８字状セグメント１個分に満たない量だけ減少したことを、バーグラフ表示高さの範囲内の小型セグメント表示からなる半分表示部によって、よりバーグラフらしく明確に表示する事が出来る。
【００２５】
請求項６に記載の発明では、コ字状セグメント表示は、上辺、下辺、右上側辺、及び右下側辺のうち半分表示部に隣接した右上側辺、または右下側辺が欠けた欠損表示部を有することを特徴としている。
【００２６】
この発明によれば、燃料が８字状セグメント１個分に満たない量だけ減少したことを、バーグラフ表示高さの範囲内の半分表示部及び欠損表示部によって、より一層バーグラフらしく明確に表示する事が出来る。
【図面の簡単な説明】
【００２７】
【図１】本発明の第１実施形態における車両用燃料表示装置の表示形態の変化を示す全体使用態様図である。
【図２】上記図１の使用態様を実現するための、液晶セグメントの配置及び形状を示すセグメント配置図である。
【図３】上記実施形態における車両用燃料表示装置としての、表示形態をガソリン残量の減少と共に示した使用態様図である。
【図４】上記図３の状態から更にガソリン残量が減少していった場合を示した使用態様図である。
【図５】上記実施形態における車両用燃料表示装置が、距離計として表示する状態を示す使用態様図である。
【図６】本発明の第２実施形態における車両用燃料表示装置としての、表示形態をガソリン残量の減少と共に示した使用態様図である。
【図７】実用化されている公知の車両用燃料表示装置の液晶セグメントの配置及び形状を示すセグメント配置図である。
【図８】公知の特許文献１に係る車両用燃料表示装置の表示形態の変化を示す全体使用態様図である。
【発明を実施するための形態】
【００２８】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２９】
各実施形態で具体的に組み合わせが可能であることを明示している部分同士の組み合わせばかりではなく、特に組合せに支障が生じなければ、明示していなくても実施形態同士を部分的に組み合せることも可能である。
【００３０】
（第１実施形態）
以下、本発明の第１実施形態について図１乃至図５を用いて詳細に説明する。図１は、第１実施形態の車両用燃料表示装置の表示形態の変化を示す全体使用態様図である。図１の（ａ）から（ｉ）は、燃料計としての表示の変遷を示している。
【００３１】
図１の（ａ）は、燃料がフル状態（満タン）状態であることを示し、（ａ）から（ｉ）に行くに従って、徐々に燃料が減少して行き、燃料が空に近い状態では、（ｈ）、（ｉ）のように、燃料残量を示すロ字形の単一矩形表示部１及び／またはフューエルゲージマーク２が点滅するようになる。
【００３２】
また、車両用計器盤内に存在する図示しない押しボタンからなる選択スイッチを操作することによって、車両用燃料表示装置は、オドメータ、あるいはトリップメータと呼ばれる距離計としても使用することが出来る。
【００３３】
図１の（ｊ）（ｋ）（ｌ）は、オドメータ、トリップメータＡ、トリップメータＢとして使用した状態を示している。ここでトリップメータＡ、トリップメータＢは、表示方法が同じで、使い方をユーザが選択したものである。
【００３４】
例えば、３のトリップメータＡは、一ヶ月の走行距離を表示することが出来、また、４のトリップメータＢは、先月からの走行距離を表示することが出来る。このような使い分けは、ユーザが自由に設定できる。
【００３５】
そして、図示しない選択スイッチのノブを操作することにより、オドメータ、トリップメータＡ、トリップメータＢのように３段階に切替えることが出来る。また、図１の５は、オートトランスミッション（ＡＴ）のレンジ（シフトポジションン）を表示するミッションレンジ表示部であり、省略しても良い。
【００３６】
図２は、図１の使用態様を実現するための、全体の液晶セグメントの配置及び形状を示すセグメント配置図である。５は、上述のミッションレンジ表示部、２は、上述のフューエルゲージマーク、６は、オドメータを示す表示、７はトリップメータを示す表示である。８及び９で示すＡ、Ｂはトリップメータの種別表示、１０は走行距離の単位、１１から１６は、６桁からなる数字表示部である。１７は少数点表示である。
【００３７】
この数字表示部１１〜１６の各々は、８字状セグメントの集合からなる。そして、この数字表示部１１〜１６のうち、左端の１１は、始端アルファベット表示（Ｅ表示ともいう）が可能である。また、右端１６は、終端アルファベット表示（Ｆ表示ともいう）が可能である。
【００３８】
また、各数字表示部１１〜１６は、上辺２０、下辺２１、左上側辺２２、左下側辺２３、右上側辺２４、及び右下側辺２５から成るセグメント、並びに中央−状セグメント２６から構成されている。また各セグメント２０〜２６は、液晶表示画面（ＬＣＤ）３０のセグメントとして存在し、夜間等においては、図示しないバックライトをなす多数のＬＥＤ（発光ダイオード）によって裏面から均一に全体照明される。
【００３９】
また、バックライトが点灯していないときは、外光を反射することによって表示することが出来る。また、この第１実施形態の表示装置は、着色が不可能であるが、後述するように、着色可能な表示装置として本発明燃料表示装置を構成することも可能である。
【００４０】
そして、車両のイグニッションスイッチ（運転開始スイッチ）を操作すると、液晶表示画面３０の表示が開始されるが、先ず最初に、燃料残量が見えるようにするために、図１の（ａ）〜（ｉ）に示す車両用燃料表示装置としての表示が優先的に表示され、以下、ユーザの操作によって、（ｊ）〜（ｌ）の様に、オドメータやトリップメータとしての表示に切替えることが出来る。
【００４１】
即ち、この第１実施形態では、車両用燃料表示装置が、運転開始時に自動的に表示されるように設定されており、その後のユーザ操作によって距離計としての表示がなされる。これによって、車両の運転者は、先ず燃料残量を優先的に確認することが出来る。
【００４２】
図３及び図４は、車両用燃料表示装置としての、表示形態をガソリン残量の減少と共に示した使用態様図であり、数字表示部１１と１６に相当するＥ表示１１ａとＦ表示１６ａの間の４つのバーグラフ状表示部１２ａ、１３ａ、１４ａ、１５ａによって、４分割され、更に半分表示が可能であることから、全体として、燃料の残量を８分割で表示することが可能になっている。
【００４３】
例えば、軽自動車の場合は、タンクの容量が３０リットルくらいであり、最後まで使用できない残量を５リットルとすると、使用可能な残量は２５リットルになる。よって、ガソリン残量を８分割表示するために、２５／８＝約３リットルごとの容量減少が逐次表示可能である。
【００４４】
以下、具体的に図３について説明する。図３において、１１ａは、始端アルファベット表示を成すＥ表示である。そして、右端１６ａは、終端アルファベット表示を成すＦ表示である。そして、このＥ表示１１ａとＦ表示１６ａの間に、４分割されたバーグラフ状表示部１２ａ、１３ａ、１４ａ、１５ａが存在している。そして、Ｅ表示１１ａ、Ｆ表示１６ａ及びバーグラフ状表示部１２ａ〜１５ａは、実質同じ高さとされている。
【００４５】
このバーグラフ状表示部１２ａ〜１５ａは、図３の（ａ）に示すように、多数のセグメントにて表示され、バーグラフ状表示部１１ａ〜１６ａの８字状セグメント集合体の一部のセグメントを選択的に表示することによって構成されている。そして始端アルファベット表示１１ａの右隣に、右側セグメントが欠落したＣ字状セグメント表示１２ａが構成されている。
【００４６】
また、終端アルファベット表示１６ａのＦ表示の左隣に、左側セグメントが欠落したコ字状セグメント表示１５ａが構成されている。そして、Ｃ字状セグメント表示１２ａとコ字状セグメント表示１５ａの間を、左右セグメントが欠落した二字状セグメント表示１３ａ及び１４ａで表示し、全体をバー状あるいは箱状の形態で表示している。
【００４７】
更に具体的に述べれば、８字状セグメント集合体からなる図２の数字表示部１１〜１６は、上述したように、夫々、上辺２０、下辺２１、左上側辺２２、左下側辺２３、右上側辺２４、及び右下側辺２５からなるセグメント並びに中央−状セグメント２６からなる。
【００４８】
そして、図３の（ａ）のＣ字状セグメント１２ａは、上辺２０、下辺２１、左上側辺２２、及び左下側辺２３及びからなる。また、コ字状セグメント表示１５ａは、上辺２０、下辺２１、右上側辺２４、及び右下側辺２５からなる。また、図３の（ａ）で示す二字状セグメント表示１３ａ、１４ａは、上辺２０及び下辺２１で表示される。
【００４９】
図３の（ａ）の満タン表示の後に、ガソリン残量が約３リットル減少すると、図３の（ｂ）のように半分表示部３５が現れる。即ち、この半分表示部３５は、終端アルファベット表示１６ａ側のバー表示の端部に、燃料の残量がバーグラフ状表示部１２ａ〜１５ａの１つ分に満たない量の減少を表示するために設けられたものである。
【００５０】
半分表示部３５は、少なくとも、図２の右上側辺２４、または右下側辺２５から構成されているものであるが、図３の（ｂ）においては、半分表示部３５は、下辺２１と右下側辺２５と中央−状セグメント２６からなるセグメントの集合から構成されている。そして、通常のバーグラフ状表示部１１ａ〜１６ａの高さの半分の高さで、小さなコ形の小型セグメント表示３５として形成されている。
【００５１】
そして、この小型セグメント表示３５に対応して、上述のコ字状セグメント表示１５ａに相当する１４ｂは、図２の上辺２０、下辺２１、右上側辺２４、及び右下側辺２５のうち小型セグメント表示３５に隣接した右上側辺２４または右下側辺２５が欠けた図３の（ｂ）に示す欠損表示部２５ｂを伴って表示されている。
【００５２】
具体的には、第１実施形態では、図３（ｂ）に示すように、欠損表示部２５ｂは、右下側辺２５が欠けた状態で表示されている。これによって、バーグラフ表示は、下側の一部が突起状に突出したバーの表示になり、ガソリン残量の減少を表示することが出来る。
【００５３】
更に、約３リットルだけ燃料量が減少すると、図３の（ｃ）のような表示形態になり、全体のバーの長さが縮小し、更に約３リットルガソリンが減少すると、（ｄ）（ｅ）のように表示される。
【００５４】
また、図４の（ｆ）は、更にガソリンが減少した状態を、欠損表示部２５ｂを持った０字状表示部１２０にて示し、図４（ｆ）から（ｉ）に進むに従って、バーの表示が短くなり、上述の様に、ロ字形の単一矩形表示部１となって、（ｈ）のように点滅するようになる。更に、ガソリンが減少すると、フューエルゲージマーク２自体も点滅して、有効なガソリン残量が無いことを表示するようにしている。
【００５５】
また、運転者が、例えば計器盤内に存在する図示しない押しボタンスイッチのノブを操作することによって、車両用燃料表示装置を、距離計として表示させることが出来る。図５は、車両用燃料表示装置が、距離計として表示する状態を示す使用態様図である。
【００５６】
先ず。押しボタンスイッチを一回押すと、オドメータとしての表示が、図５の（ｊ）のように現れ、次に、もう一回、押しボタンスイッチを操作すると、図５の（ｋ）のように、トリップメータＡ表示が現れる。更に操作すると図５の（ｌ）の様に、トリップメータＢの表示がなされる。
【００５７】
以下、上記構成の作用効果について説明する。上記第１実施形態においては、図３のＣ字状セグメント表示１２ａとコ字状セグメント表示１５ａとの間に二字状セグメント表示１３ａ、１４ａを配置して、全体として箱状またはバー状の表示部を構成したから、一層バーグラフ表示に近い形態の表示となり、燃料の残量が直感的にわかり易い車両用燃料表示装置を得ることが出来る。
【００５８】
そして、満タン時には４個の数字表示部１２ａ〜１５ａの外枠のみで表示し、車両のタンクがガソリンで満たされた状態であることを連想させる表示としている。また、両端の数字表示部は、Ｅ表示１１ａとＦ表示１６ａのアルファベットで表示して、フューエルゲージ表示であること、及び満タン位置及び燃料の減少方向を表示している。
【００５９】
そして、ガソリンが消費されるに伴い、外枠形状が徐々に小さくなり、ガソリンが満タンから徐々に減少していく状態を想起させる表示とすることが出来る。また、オドメータやトリップメータの表示を共用しているが、オドメータを常時主表示とした場合は、運転者がガソリン残量を的確に把握できないため、第１実施形態では、車両用燃料表示を主表示として優先的に表示している。そして、別途、設定されている選択スイッチで選択してオドメート及びトリップメータを表示させるようにしている。
【００６０】
また、数字表示が可能な８字状セグメントの各パーツである図２の上辺２０、下辺２１、左上側辺２２、左下側辺２３、右上側辺２４、及び右下側辺２５、並びに中央−状セグメント２６の一部を活用して、一層バーグラフ表示に近い形態の表示が構成できる。更に、この８字状セグメントを、数字で表されるデジタル式の距離計として使用することが出来る。
【００６１】
また、図３の（ｂ）等の半分表示部３５によって、バーグラフ状表示部１２ａ〜１５ａの一個分に満たない量だけ燃料残量が減少したことを、バーグラフ表示高さの範囲内の半分表示部３５によって表示する事が出来る。
【００６２】
そして、この半分表示部３５は、図２の下辺２１と右下側辺２５と中央−状セグメント２６からなる小型セグメント表示から構成し、図３の（ｂ）のコ字状セグメント表示１４ｂは、上辺２０、下辺２１、右上側辺２４、及び右下側辺２５のうち小型セグメント表示３５に隣接した右下側辺２５が欠けた欠損表示部２５ｂを有する状態で表示したから、燃料がセグメント１個分に満たない量だけ減少したことを、バーグラフ表示高さの範囲内の半分表示部３５によって、より一層バーグラフらしく明確に表示する事が出来る。
【００６３】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。図６は、第２実施形態における車両用燃料表示装置としての表示形態を、ガソリン残量の減少と共に示した使用態様図である。
【００６４】
この第２実施形態の図６の（ｂ）及び（ｄ）に示す半分表示部３５は、各バーグラフ状表示部１２ａ〜１５ａの一個分に満たない量だけ燃料が減少したことを、バーグラフ表示高さの範囲内の半分表示部３５によって表示する。そのために、少なくとも右上側辺２４または右下側辺２５からなる小型セグメント表示を構成する。具体的には、この第２実施形態では、上辺２０と右上側辺２４とを使用してＬ字状（鉤状またはフック状）の半分表示部３５としている。
【００６５】
また、図６の（ｂ）及び（ｄ）に示すコ字状セグメント表示１４ｂ及び１３ｂは、上辺２０、下辺２１、右上側辺２４、及び右下側辺２５から表示されている。これによっても、燃料がセグメント１個分に満たない量だけ減少したことを、図６の（ｂ）、（ｄ）に示すように、バーグラフ表示高さの範囲内の半分表示部３５によって、バーグラフらしく表示する事が出来る。
【００６６】
（その他の実施形態）
本発明は上述した実施形態にのみ限定されるものではなく、次のように変形または拡張することができる。例えば、上述の第１実施形態では、自動車用の燃料表示装置について述べたが、本発明の燃料表示装置は自動車用以外に、航空機、農機、二輪車、船舶等の燃料残量の表示に使用することが出来る。
【００６７】
また燃料残量の表示と、距離計の表示を兼用するようにしたが、距離計の表示は必ずしも必要ではない。また、オートトランスミッションのレンジ表示を同じ液晶表示画面内に配置したが、これも必須の構成ではない。
【００６８】
また、燃料表示専用の表示装置として構成する場合は、フューエルゲージマークは省略できる。また、表示手段として液晶表示装置を使用し、無着色の表示としたが、着色バックライトを選択的に照射して、着色された画面を構成することも出来る。また、液晶以外の表示素子である例えば有機ＥＬを利用することも可能である。
【００６９】
また、上記実施形態では、Ｅ表示とＦ表示の間に４個の数字表示部を設けたが、この個数は、より多くしても少なくしても良い。また、第１実施形態を示す図３の（ｂ）において、欠損表示部２５ｂを設けたが、この欠損表示部２５ｂを設けず、完全なコ字状セグメント表示１４ｂとしても良い。また、半分表示部３５は、セグメント１つ、少なくとも、右上側辺、または右下側辺で形成したL字状またはI字上として構成してもよい。
【符号の説明】
【００７０】
１  ロ字形の単一矩形表示部
２  フューエルゲージマーク
３  トリップメータＡの使用態様
４  トリップメータＢの使用態様
５  ミッションレンジ表示部
６  オドメータを示す表示
７  トリップメータを示す表示
８及び９  トリップメータの種別表示
１１〜１６  数字表示部
１１ａ  始端アルファベット表示またはＥ表示
１２ａ  Ｃ字状セグメント表示
１２ａ、１３ａ、１４ａ、１５ａ  数字表示部からなるバーグラフ状表示部
１３ａ及び１４ａ  二字状セグメント表示
１３ｂ、１４ｂ、１５ａ  コ字状セグメント表示
１６ａ  終端アルファベット表示またはＦ表示
２０  上辺
２１  下辺
２２  左上側辺
２３  左下側辺
２４  右上側辺
２５  右下側辺
２５ｂ  欠損表示部
２６  中央−状セグメント
３０  液晶表示画面
３５  半分表示部
１２０  ０字状表示部
【図１】
2011095048.tif 000003
【図２】
2011095048.tif 000004
【図３】
2011095048.tif 000005
【図４】
2011095048.tif 000006
【図５】
2011095048.tif 000007
【図６】
2011095048.tif 000008
【図７】
2011095048.tif 000009
【図８】
2011095048.tif 000010